(57)【要約】【課題】落さないようにしっかりと持つことができ，しかも，リズミカルに揺らしながら毛髪をカットすることもできるレザーホルダーを提供する。【解決手段】レザー２を保持するための保持部１０に指で握るための把持柄１１を接続したレザーホルダー１であって，把持柄１１には，表裏に対をなす窪み４０，４１を形成したつまみ部３０，３１が２箇所に配置されている。それらつまみ部３０，３１の一方３０は他方３１よりも保持部１０に近く，他方３１は一方３０よりも保持部１０から遠い関係を持って配置され，かつ，それらつまみ部３０，３１の間に，レザーホルダー１の重心Ｇが配置されている。つまみ部３０，３１を親指５０と人差指５１の指先で両側からつまんで持つことにより，落さないようにしっかりと持つことができ，しかも，リズミカルに揺らしながら毛髪をカットすることもできる。【選択図】  図１
2004313239.tif 000002
【特許請求の範囲】
【請求項１】
レザーを保持するための保持部に指で握るための把持柄を接続したレザーホルダーであって，
前記把持柄には，表裏に対をなす窪みもしくは表裏を貫通する孔を形成したつまみ部が２箇所に配置され，それらつまみ部は，一方が他方よりも前記保持部に近く，他方が一方よりも前記保持部から遠い関係を持って配置され，かつ，それらつまみ部の間に，レザーホルダーの重心が配置されていることを特徴とする，レザーホルダー。
【請求項２】
前記把持柄の後端に指を挿入可能な孔が１又は複数設けてあることを特徴とする，請求項１に記載のレザーホルダー。
【発明の詳細な説明】
【０００１】
【発明の属する技術分野】
本発明は，カット作業に用いるレザーホルダーに関する。
【０００２】
【従来の技術】
理髪店や美容院などにおいては，レザーによって毛髪をカットするいわゆるレザーカットが行われる場合も多い。このレザーカットを行うことにより，例えば，ストロークカット（毛束を持ち上げ，毛先から根元に向ってレザーを滑らせて毛髪をそぐカット方法）によって毛先をわざと不揃にしてふわふわした空気感を与えたり，スライドカット（レザーを毛先に向ってスライドさせ，毛髪を削るようにそぐカット方法）によって毛先を軽くしたりすることができる。
【０００３】
そして，理容師や美容師がこのようなレザーカットを行う際に使用する道具として，レザーを保持するためのレザーホルダーが使用されている。従来，例えば特開２０００−２４３３８号公報や特開平１１−９００６０号公報に示すように，把持柄に指挿入穴を設けたレザーホルダーが公知である。
【０００４】
【特許文献１】
特開２０００−２４３３８号公報
【特許文献２】
特開平１１−９００６０号公報
【０００５】
【発明が解決しようとする課題】
ところで，レザーカットを行う際に，レザーホルダーを握り締めずにわざとゆるく持ち，レザーホルダーをリズミカルに揺らしながら毛髪をカットしたいような場合がある。レザーホルダーをゆるく持ってレザーを毛髪にあてがうことにより，過度に毛髪を切ってしまうようなことも防止でき，また，レザーホルダーの重さや毛髪の反力などを利用してカットすることにより，毛先に自然な感じで空気感を与えることができる。
【０００６】
しかしながら，レザーホルダーをゆるく握ると落しやすくなる。一方，レザーホルダーをしっかり握ったのでは，レザーホルダーをリズミカルに揺らしながら毛髪をカットするのが困難になる。この場合，手首を使ってレザーホルダーを動かしながらカットすることも可能であるが，そうすると，どうしてもレザーホルダーをスムーズに動かすことができず，自然な感じが出なくなってしまう。
【０００７】
従って本発明の目的は，落さないようにしっかりと持つことができ，しかも，リズミカルに揺らしながら毛髪をカットすることもできるレザーホルダーを提供することにある。
【０００８】
【課題を解決するための手段】
この目的を達成するために，本発明によれば，レザーを保持するための保持部に指で握るための把持柄を接続したレザーホルダーであって，前記把持柄には，表裏に対をなす窪みもしくは表裏を貫通する孔を形成したつまみ部が２箇所に配置され，それらつまみ部は，一方が他方よりも前記保持部に近く，他方が一方よりも前記保持部から遠い関係を持って配置され，かつ，それらつまみ部の間に，レザーホルダーの重心が配置されていることを特徴とする，レザーホルダーが提供される。このレザーホルダーにおいて，前記把持柄の後端に指を挿入可能な孔が１又は複数設けてあっても良い。
【０００９】
【発明の実施の形態】
以下，本発明の好ましい実施の形態を，図面を参照にして説明する。
図１，２に示すように，この実施の形態にかかるレザーホルダー１は，レザー２を保持するための保持部１０に，指で握るための把持柄１１を接続した構成を有している。
【００１０】
従来一般的なレザーホルダーと同様に，保持部１０には，レザー２を保持するための溝２０が設けてある。保持部１０の先端から，この溝２０の内部にレザー２の上半部を挿入させながら，レザー２を奥に向ってスライドさせることにより，保持部１０にレザー２を保持するようになっている。
【００１１】
この実施の形態では，把持柄１１は，保持部１０に接続されている把持柄１１の基端から後端に向って，２つのつまみ部３０，３１，中間部３２，２つのリング部３３，３４を順に直列に配置した構成になっている。また，このようにつまみ部３０，３１，中間部３２，リング部３３，３４からなる把持柄１１の中心線Ｌは，図１に示すように，下に凸に湾曲しながら基端から後端に向って緩やかに上昇するようにカーブした形状となっている。各つまみ部３０，３１，中間部３２，リング部３３，３４は，いずれも中心線Ｌに沿って長径を配置した略楕円形状をなしている。
【００１２】
２つのつまみ部３０，３１は，一方のつまみ部３０が他方のつまみ部３１よりも保持部１０に近く，他方のつまみ部３１が一方のつまみ部３０よりも保持部１０から遠い関係を持って配置されている。図３に示すように，一方のつまみ部３０には，把持柄１１の表裏に対をなす窪み４０，４０が形成されている。同様に，他方のつまみ部３１にも，把持柄１１の表裏に対をなす窪み４１，４１が形成されている。この実施の形態では，これら窪み４０，４０及び窪み４１，４１は，いずれも指とほぼ同程度の略円曲面形状（略円曲面の一部をなす形状）を有している。
【００１３】
中間部３２及びリング部３３，３４には，把持柄１１の表裏を貫通する孔４２，４３，４４がそれぞれ設けてある。これらのうち，リング部３３，３４に設けられた孔４３，４４は，いずれも指を挿入できる大きさを有している。一方，リング部３３に設けられた孔４２は，リング部３３，３４の孔４３，４４に比べて小さい。
【００１４】
この実施の形態では，リング部３４の更に後端側には，指をかけるためのレバー４５が設けてある。
【００１５】
そして，レザーホルダー１全体の重心位置Ｇは，２つのつまみ部３０，３１の間に配置されている。
【００１６】
さて，理髪店や美容院などにおいて，この実施の形態にかかるレザーホルダー１を用いて毛髪をカットする場合，理容師や美容師は，例えば図４に示すように，保持部１０から遠い方のつまみ部３１を親指５０と人差指５１で両側からつまんで持つことができる。これにより，つまみ部３１に形成された表裏の窪み４１，４１を親指５０の指先と人差指５１の指先の間で両側から押えることができ，レザーホルダー１をしっかりと落さずに持つことができる。しかも，窪み４１，４１が親指５０や人差指５１の指先とほぼ同程度の略円曲面形状であるため，このように両方の指先の間でつまみ部３１を両側からしっかりとつまんだ状態を維持しながら，つまみ部３１を中心にして，保持部１０を上下に揺らすようにレザーホルダー１を容易に回転運動させることができる。
【００１７】
そして，このように保持部１０から遠い方のつまみ部３１を親指５０と人差指５１でつまむように持った場合は，レザーホルダー１全体の重心位置Ｇが，つまみ部３１よりも把持柄１１の基端側（保持部１０に近い側）にあるため，レザーホルダー１全体には，図４中の矢印６０に示すように，つまみ部３１を中心にして保持部１０を下に押下げるように，レザーホルダー１全体を時計回転方向に回転させるモーメントが作用する。このため，レザーホルダー１の保持部１０に取り付けたレザー２を毛髪ａに押し当ててレザーカットを行う場合，レザー２に下向きの力を加えながら，比較的強い力で毛髪ａをカットすることができる。
【００１８】
また，理容師や美容師は，例えば図５に示すように，保持部１０に近い方のつまみ部３０を親指５０と人差指５１で両側からつまんで持つこともできる。この場合も同様に，つまみ部３０に形成された表裏の窪み４０，４０を親指５０の指先と人差指５１の指先の間で両側から押えることにより，レザーホルダー１をしっかりと落さずに持つことができ，しかも，窪み４０，４０が親指５０や人差指５１の指先とほぼ同程度の略円曲面形状であるため，両方の指先の間でつまみ部３０を両側からしっかりとつまんだ状態を維持しながら，つまみ部３０を中心にして，保持部１０を上下に揺らすようにレザーホルダー１を容易に回転運動させることができる。
【００１９】
そして，このように保持部１０に近い方のつまみ部３０を親指５０と人差指５１でつまむようにして持った場合は，レザーホルダー１全体の重心位置Ｇが，つまみ部３０よりも把持柄１１の先端側（保持部１０から遠い側）にあるため，レザーホルダー１全体には，図５中の矢印６１に示すように，つまみ部３０を中心にして保持部１０を上に持上げるように，レザーホルダー１全体を反時計回転方向に回転させるモーメントが作用する。このため，レザーホルダー１の保持部１０に取り付けたレザー２を毛髪ａに押し当ててレザーカットを行う場合，レザー２に上向きの力を加えながら，比較的弱い力で毛髪ａをカットすることができる。
【００２０】
このように，レザーホルダー１を落すことなく，かつ，回転可能な状態で持つことができ，レザーホルダー１をリズミカルに揺らしながら毛髪ａをレザーカットすることにより，毛先に自然な感じで空気感を与えたカットを自在に行うことができるようになる。しかも，親指５０と人差指５１でつまむ位置を，つまみ部３０，３１の間で適宜移動させることにより，毛髪ａに押し当てるレザー２の力の強弱を簡単に調節でき，カット量を容易に調整することができる。
【００２１】
更に，この実施の形態にかかるレザーホルダー１は，図６に示すように，把持柄１１の後端側にあるリング部３３，３４の孔４３，４４に，例えば薬指５３と小指５４を挿入し，その他の指５０，５１，５２も用いて把持柄１１を握るようにすれば，レザーホルダー１を回転させない状態で，よりしっかりと安定させて持つことができる。その場合，例えばリング部３４の後端側に設けられたレバー４５に小指５４を引っかけて持つようにしても良い。
【００２２】
また，この実施の形態にかかるレザーホルダー１は，先に図１で説明したように，把持柄１１の中心線Ｌが緩やかに湾曲しているので，例えば把持柄１１全体を周りから手のひらで握り締めたように持っても，把持柄１１をしっかりと持つことができ，抜け落ちることがない。また，緩やかに湾曲している把持柄１１の持つ方向や位置を適宜変えることにより，レザーホルダー１を持った手が頭に当らないようにしながら，保持部１０に取り付けたレザー２を毛髪ａに押し当てることができる。
【００２３】
以上，本発明の好ましい実施の形態の一例を示したが，本発明はここに例示した形態に限定されない。例えば，実施の形態では，保持部１０に片刃のレザー２を取り付けたレザーホルダー１について説明したが，保持部に両刃のレザーを取り付けるタイプのレザーホルダーについても，本発明は同様に適用できる。本発明のレザーホルダーの材料は特に限定がないが，例えば金属等の比較的重い材料でレザーホルダーを構成すれば，先に図４，５で説明したレザー２に加わる上下方向の力が大きくなり，逆に例えばプラスチックのような比較的軽い材料でレザーホルダーを構成すれば，先に図４，５で説明したレザー２に加わる上下方向の力が小さくなる。このように，レザーホルダーの材料（重さ）によってレザー２に加わる力を調節することができる。また，レザーホルダーの材料として例えば柔かい金属などを用いれば，把持柄１１を曲げてその形状を適宜変形させることも可能となる。
【００２４】
把持柄１１に設けられるつまみ部３０，３１は少なくとも２箇所にあれば良く，３箇所以上につまみ部があることを妨げない。レザーホルダーの把持柄に少なくとも２つのつまみ部があり，それらがの一方が他方よりも保持部に近く，他方が一方よりも保持部から遠い関係を持って配置されていれば良い。また，つまみ部３０，３１において，表裏に対をなす窪み４０，４１をそれぞれ形成する例を説明したが，窪み４０，４１の代りに，つまみ部３０，３１において，表裏を貫通する孔を形成し，その孔を親指５０の指先と人差指５１の指先の間で両側から押えるように持つことによっても，同様の効果が期待できる。なお，そのようにつまみ部３０，３１に形成される孔は，把持柄１１の後端に形成される指を挿入可能な孔４３，４４と異なり，指が挿入できない程度の大きさで良い。
【００２５】
把持柄の後端に形成される指を挿入可能な孔は，なくても良く，また，１つもしくは３つ以上設けても良い。なお，この実施の形態で説明したレザーホルダー１は，把持柄１１が指の本数と同じ５つの部分（つまみ部３０，３１，中間部３２，リング部３３，３４）で構成されており，各部分にそれぞれの指５０〜５４を対応させることにより，指５０〜５４の感触でレザーホルダー１の位置を認識しやすいといった利点がある。各部分（つまみ部３０，３１，中間部３２，リング部３３，３４）の厚さを適宜変えるなどすれば，指５０〜５４の感触でレザーホルダー１の位置を更に認識しやすくなる。また，滑ることを防止するために，把持柄１１全面をシボ加工（細かい凹凸面に加工）しても良い。
【００２６】
【発明の効果】
本発明によれば，落さないようにしっかりと持つことができ，しかも，リズミカルに揺らしながら毛髪をカットすることもできるレザーホルダーを提供できる。
【図面の簡単な説明】
【図１】本発明の実施の形態にかかるレザーホルダーの正面図である。
【図２】本発明の実施の形態にかかるレザーホルダーの平面図である。
【図３】図１におけるＸ−Ｘ線部分断面図である。
【図４】保持部から遠い方のつまみ部を親指と人差指で両側からつまんでレザーホルダーを持った状態の説明図である。
【図５】保持部に近い方のつまみ部を親指と人差指で両側からつまんでレザーホルダーを持った状態の説明図である。
【図６】把持柄の後端側にあるリング部の孔に指を挿入してレザーホルダーを持った状態の説明図である。
【符号の説明】
ａ    毛髪
Ｇ    重心位置
１    レザーホルダー
２    レザー２
１０  保持部
１１  把持柄
２０  溝
３０，３１  つまみ部
３２  中間部
３３，３４  リング部
４０，４１  窪み
４２，４３，４４  孔
４５  レバー
【図１】
2004313239.tif 000003
【図２】
2004313239.tif 000004
【図３】
2004313239.tif 000005
【図４】
2004313239.tif 000006
【図５】
2004313239.tif 000007
【図６】
2004313239.tif 000008